【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
ワイヤレスネットワークにおけるハイブリッド自動再送/要求(HARQ)通信のためのユーザ機器における方法であって、
第1のセットの1つまたは複数の通信リンクを介して、HARQ通信の第1のインスタンスを送信するステップと、
前記第1のセットの1つまたは複数の通信リンクとは異なる第2のセットの1つまたは複数の通信リンクを介して、前記HARQ通信の第2のインスタンスのためのスケジューリング許可を受信するステップであって、前記第2のセットの1つまたは複数の通信リンクが、前記第1のセットの1つまたは複数の通信リンクにおける少なくとも1つの通信リンクを含み、前記スケジューリング許可が、前記第1のセットの1つまたは複数の通信リンクにおける前記少なくとも1つの通信リンクの帯域幅と比較して、前記第2のセットの1つまたは複数の通信リンクにおける前記少なくとも1つの通信リンクのための追加の帯域幅を指定する、ステップと、
前記スケジューリング許可に少なくとも部分的に基づいて、前記第2のセットの1つまたは複数のリンクを介して、前記HARQ通信の前記第2のインスタンスを送信するステップと
を含む方法。
【請求項２】
前記方法が、前記第1のセットの1つまたは複数の通信リンクを介した、前記HARQ通信の前記第1のインスタンスの前記送信するステップのための、初期スケジューリング許可を受信するステップをさらに含み、前記第1のセットの1つまたは複数の通信リンクを介した、前記HARQ通信の前記第1のインスタンスの前記送信するステップが、前記初期スケジューリング許可に基づく、請求項1に記載の方法。
【請求項３】
前記HARQ通信の前記第1のインスタンスを前記送信するステップが、前記HARQ通信の前記第1のインスタンスを送信するステップと同時に、スケジューリング要求を送信するステップをさらに含む、請求項1に記載の方法。
【請求項４】
他のユーザ機器によって送信された制御チャネルを監視することに少なくとも部分的に基づいて、前記スケジューリング要求を送信するための初期送信帯域幅、変調次数、コードレート、またはそれらの任意の組合せのうちの少なくとも1つを決定するステップをさらに含む、請求項3に記載の方法。
【請求項５】
前記HARQ通信の前記第1のインスタンスの前記送信するステップ、前記HARQ通信の前記第2のインスタンスのための前記スケジューリング許可の前記受信するステップ、あるいは、前記HARQ通信の前記第2のインスタンスの前記送信するステップのうちの少なくとも1つが、持続時間が1サブフレーム未満の送信時間間隔(TTI)において送信または受信するステップをさらに含む、請求項1に記載の方法。
【請求項６】
ワイヤレスネットワークにおけるハイブリッド自動再送/要求(HARQ)通信のためのユーザ機器であって、
第1のセットの1つまたは複数の通信リンクを介して、HARQ通信の第1のインスタンスを送信するための手段と、
前記第1のセットの1つまたは複数の通信リンクとは異なる第2のセットの1つまたは複数の通信リンクを介して、前記HARQ通信の第2のインスタンスのためのスケジューリング許可を受信するための手段であって、前記第2のセットの1つまたは複数の通信リンクが、前記第1のセットの1つまたは複数の通信リンクにおける少なくとも1つの通信リンクを含み、前記スケジューリング許可が、前記第1のセットの1つまたは複数の通信リンクにおける前記少なくとも1つの通信リンクの帯域幅と比較して、前記第2のセットの1つまたは複数の通信リンクにおける前記少なくとも1つの通信リンクのための追加の帯域幅を指定する、手段と
を備え、
前記送信するための手段が、前記スケジューリング許可に少なくとも部分的に基づいて、前記第2のセットの1つまたは複数の通信リンクを介して、前記HARQ通信の前記第2のインスタンスを送信する、ユーザ機器。
【請求項７】
ワイヤレスネットワークにおけるハイブリッド自動再送/要求(HARQ)通信のための発展型ノードBにおける方法であって、
第1のセットの1つまたは複数の通信リンクを介して、HARQ通信の第1のインスタンスを受信するステップと、
前記第1のセットの1つまたは複数の通信リンクとは異なる第2のセットの1つまたは複数の通信リンクを介して、前記HARQ通信の第2のインスタンスのためのスケジューリング許可を送信するステップであって、前記第2のセットの1つまたは複数の通信リンクが、前記第1のセットの1つまたは複数の通信リンクにおける少なくとも1つの通信リンクを含み、前記スケジューリング許可が、前記第1のセットの1つまたは複数の通信リンクにおける前記少なくとも1つの通信リンクの帯域幅と比較して、前記第2のセットの1つまたは複数の通信リンクにおける前記少なくとも1つの通信リンクのための追加の帯域幅を指定する、ステップと、
前記スケジューリング許可に少なくとも部分的に基づいて、前記第2のセットの1つまたは複数の通信リンクを介して、前記HARQ通信の前記第2のインスタンスを受信するステップと
を含む方法。
【請求項８】
前記方法が、前記HARQ通信の前記第1のインスタンスのための初期スケジューリング許可を送信するステップをさらに含み、前記第1のセットの1つまたは複数のリンクを介した、前記HARQ通信の前記第1のインスタンスの前記受信するステップが、前記初期スケジューリング許可に少なくとも部分的に基づく、請求項7に記載の方法。
【請求項９】
前記HARQ通信の前記第1のインスタンスの前記受信するステップが、前記HARQ通信の前記第1のインスタンスが復号されるか否かを決定することに少なくとも部分的に基づいて、前記スケジューリング許可を生成するステップをさらに含む、請求項7に記載の方法。
【請求項１０】
前記スケジューリング許可を生成するステップが、前記第2のセットの1つまたは複数の通信リンクのために達成可能なレートを決定することに、さらに少なくとも部分的に基づく、請求項9に記載の方法。
【請求項１１】
前記HARQ通信の前記第1のインスタンスの前記受信するステップ、前記HARQ通信の前記第2のインスタンスのための前記スケジューリング許可の前記送信するステップ、あるいは、前記HARQ通信の前記第2のインスタンスの前記受信するステップのうちの少なくとも1つが、持続時間が1サブフレーム未満の送信時間間隔(TTI)において送信するステップまたは受信するステップをさらに含む、請求項7に記載の方法。
【請求項１２】
ワイヤレスネットワークにおけるハイブリッド自動再送/要求(HARQ)通信のための発展型ノードBであって、
第1のセットの1つまたは複数の通信リンクを介して、HARQ通信の第1のインスタンスを受信するための手段と、
前記第1のセットの1つまたは複数の通信リンクとは異なる第2のセットの1つまたは複数の通信リンクを介して、前記HARQ通信の第2のインスタンスのためのスケジューリング許可を送信するための手段であって、前記第2のセットの1つまたは複数の通信リンクが、前記第1のセットの1つまたは複数の通信リンクにおける少なくとも1つの通信リンクを含み、前記スケジューリング許可が、前記第1のセットの1つまたは複数の通信リンクにおける前記少なくとも1つの通信リンクの帯域幅と比較して、前記第2のセットの1つまたは複数の通信リンクにおける前記少なくとも1つの通信リンクのための追加の帯域幅を指定する、手段と
を備え、
前記受信するための手段が、前記スケジューリング許可に少なくとも部分的に基づいて、前記第2のセットの1つまたは複数の通信リンクを介して、前記HARQ通信の前記第2のインスタンスを受信する、発展型ノードB。
【請求項１３】
実行時に、コンピュータに請求項1〜5または7〜11のいずれか一項に記載の方法を実行させるコンピュータ実行可能コードを備える、コンピュータ可読記憶媒体。